(57)【要約】【課題】ＩＣカード等の情報記憶媒体に価値情報の積み増しを行ったときに、受領した現金の紛失や盗難等があったとしても、積み増した価値情報を確認出来るようにする。【解決手段】顧客用カード2-2 に対する価値情報の積み増し値を設定する工程と（Ｓ１）と、管理用カード2-1 からその価値情報＃１を読み出す工程（Ｓ４）と、管理用カード2-1 の価値情報から前記積み増し値を減算し、減算後の価値情報を管理用カード2-1 に書き込む工程と（Ｓ５、Ｓ６）と、顧客用カード2-2 からその価値情報を読み出す工程と（Ｓ９）、顧客用カード2-2 の価値情報に前記価値の積み増し値を加算し、加算後の価値情報を顧客用カード2-2 に書き込む工程（Ｓ１０、Ｓ１１）とを備えている。管理用カード2-1 から顧客用カード2-2 に積み増しを行う前の管理用カード2-1 の価値情報から積み増しを行った後の価値情報を減算することにより、積み増しした価値情報を確認することが出来る。【選択図】  図２
2005235016.tif 000002
【特許請求の範囲】
【請求項１】
管理用情報記憶媒体及び顧客用情報記憶媒体から各々の価値情報を読み出す工程と、前記顧客用情報記憶媒体に対する価値情報の積み増し値を設定する工程と、前記管理用情報記憶媒体の価値情報から前記積み増し値を減算し、減算後の価値情報を前記管理用情報記憶媒体に書き込む工程と、前記顧客用情報記憶媒体の価値情報に前記積み増し値を加算し、加算後の価値情報を前記顧客用情報記憶媒体に書き込む工程とを備えたことを特徴とする情報記憶媒体の価値情報積み増し方法。
【請求項２】
前記減算後の価値情報又は加算後の価値情報を表示する工程を備えたことを特徴とする請求項１記載の情報記憶媒体の価値情報積み増し方法。
【請求項３】
前記情報記憶媒体はＩＣカードであることを特徴とする請求項１記載の情報記憶媒体の価値情報積み増し方法。
【請求項４】
リーダライタ部と、制御部と、記憶部と、操作部とを備えた情報記憶媒体処理装置であって、前記制御部は、前記リーダライタ部により管理用情報記憶媒体及び顧客用情報記憶媒体から読み出された各々の価値情報を前記記憶部に記憶させる手段と、前記操作部から入力された前記顧客用情報記憶媒体に対する価値情報の積み増し値を前記記憶部に記憶させる手段と、前記管理用情報記憶媒体の価値情報から前記積み増し値を減算し、減算後の価値情報を前記リーダライタ部により前記管理用情報記憶媒体に書き込ませる手段と、前記顧客用情報記憶媒体の価値情報に前記積み増し値を加算し、加算後の価値情報を前記リーダライタ部により前記顧客用情報記憶媒体に書き込ませる手段とを備えたことを特徴とする情報記憶媒体処理装置。
【請求項５】
リーダライタ部と、制御部と、記憶部と、操作部とを備えた情報記憶媒体処理装置のコンピュータを、前記リーダライタ部により管理用情報記憶媒体及び顧客用情報記憶媒体から読み出された各々の価値情報を前記記憶部に記憶させる手段と、前記操作部から入力された前記顧客用情報記憶媒体に対する価値情報の積み増し値を前記記憶部に記憶させる手段と、前記管理用情報記憶媒体の価値情報から前記積み増し値を減算し、減算後の価値情報を前記リーダライタ部により前記管理用情報記憶媒体に書き込ませる手段と、前記顧客用情報記憶媒体の価値情報に前記積み増し値を加算し、加算後の価値情報を前記リーダライタ部により前記顧客用情報記憶媒体に書き込ませる手段として機能させるプログラム。
【発明の詳細な説明】
【技術分野】
【０００１】
本発明はＩＣカード等の情報記憶媒体に書き込まれている価値情報の積み増しを行う方法、装置及びコンピュータプログラムに関する。
【背景技術】
【０００２】
非接触ＩＣカード（以下、単にＩＣカードということもある）を鉄道やバス等の交通機関のプリペイド乗車券として利用することが行われている。例えば鉄道のプリペイド乗車券として実用化されているＩＣカードを購入するときは、駅に備え付けの専用販売機を用い、所望のプリペイド金額（１０００円、３０００円、５０００円等）を投入し、ＩＣカードの発行を受ける。ＩＣカードにはプリペイド金額に対応する価値情報である金額データが書き込まれている。ＩＣカードの利用に伴って金額が減少したときは、駅に備え付け専用販売機にＩＣカードを挿入し、所望の金額の現金を投入することにより、価値情報の積み増しを行う。なお、鉄道用のＩＣカードの場合、価値情報は金額となるが、他のサービス例えば公衆電話用のＩＣカードの場合、価値情報は通話度数となり、遊園地用のＩＣカードの場合、価値情報は例えば施設の利用回数となる。
【０００３】
バスのプリペイド乗車券として実用化されているＩＣカードも鉄道用のＩＣカードと同様に運用されているが、購入及び積み増しを行う場所がバス会社の営業所となるため、鉄道と比較すると利便性が低い。そこで、バス車内の運転席の横に設置されている降車口装置に残額の積み増し機能を付加したカード処理装置が提案されている（特許文献１参照）。このカード処理装置によれば、「カード用の差込口にカードを挿入すると、このカードに書き込まれている残額が非接触で読み取られ、表示される。すなわち、カード用の差込口にカードを挿入すると、自動的に残額表示モードとなって、カードに書き込まれている残額が表示される。残額の表示後、利用者からの要望に応えて金額を設定し、操作者（運転手）が積み増しの指示を行うと、その設定金額が残額に加算され、その加算額が差込口に挿入されているカードに非接触で書き込まれる。すなわち、利用者の要望に応えて金額を設定し、積み増しを指示すると、残額表示モードから積み増しモードに自動的に切り替えられて、設定された金額を残額に加算した加算額がカードに非接触で書き込まれる。」とされる。
【特許文献１】特開２００２−２９８１７８公報
【発明の開示】
【発明が解決しようとする課題】
【０００４】
前述したカード処理装置では、操作者は利用者からの要望に応えて金額を設定し、積み増しの指示を行うときに、まず利用者に積み増す金額を尋ね、利用者からその金額の現金を受け取った後、カード処理装置に積み増し指示を行う。その後、操作者は利用者から受け取った現金を営業所等に持ち帰ると考えられる。このため、万一現金の紛失や盗難等があった場合、バス会社では操作者が利用者に積み増しした金額を確認することができないという問題点があった。
【０００５】
本発明はこのような問題点を解決するためになされたもので、ＩＣカード等の情報記憶媒体に価値情報の積み増しを行ったときに、万一現金の紛失や盗難等があったとしても、積み増し金額を確認出来るようにすることを目的とする。
【課題を解決するための手段】
【０００６】
請求項１に係る発明は、管理用情報記憶媒体及び顧客用情報記憶媒体から各々の価値情報を読み出す工程と、前記顧客用情報記憶媒体に対する価値情報の積み増し値を設定する工程と、前記管理用情報記憶媒体の価値情報から前記積み増し値を減算し、減算後の価値情報を前記管理用情報記憶媒体に書き込む工程と、前記顧客用情報記憶媒体の価値情報に前記積み増し値を加算し、加算後の価値情報を前記顧客用情報記憶媒体に書き込む工程とを備えたことを特徴とする情報記憶媒体の価値情報積み増し方法である。
請求項２に係る発明は、請求項１記載の情報記憶媒体の価値情報積み増し方法において、前記減算後の価値情報又は加算後の価値情報を表示する工程を備えたことを特徴とする情報記憶媒体の価値情報積み増し方法である。
請求項３に係る発明は、請求項１記載の情報記憶媒体の価値情報積み増し方法において、前記情報記憶媒体はＩＣカードであることを特徴とする情報記憶媒体の価値情報積み増し方法である。
請求項４に係る発明は、リーダライタ部と、制御部と、記憶部と、操作部とを備えた情報記憶媒体処理装置であって、前記制御部は、前記リーダライタ部により管理用情報記憶媒体及び顧客用情報記憶媒体から読み出された各々の価値情報を前記記憶部に記憶させる手段と、前記操作部から入力された前記顧客用情報記憶媒体に対する価値情報の積み増し値を前記記憶部に記憶させる手段と、前記管理用情報記憶媒体の価値情報から前記積み増し値を減算し、減算後の価値情報を前記リーダライタ部により前記管理用情報記憶媒体に書き込ませる手段と、前記顧客用情報記憶媒体の価値情報に前記積み増し値を加算し、加算後の価値情報を前記リーダライタ部により前記顧客用情報記憶媒体に書き込ませる手段とを備えたことを特徴とする情報記憶媒体処理装置である。
請求項５に係る発明は、リーダライタ部と、制御部と、記憶部と、操作部とを備えた情報記憶媒体処理装置のコンピュータを、前記リーダライタ部により管理用情報記憶媒体及び顧客用情報記憶媒体から読み出された各々の価値情報を前記記憶部に記憶させる手段と、前記操作部から入力された前記顧客用情報記憶媒体に対する価値情報の積み増し値を前記記憶部に記憶させる手段と、前記管理用情報記憶媒体の価値情報から前記積み増し値を減算し、減算後の価値情報を前記リーダライタ部により前記管理用情報記憶媒体に書き込ませる手段と、前記顧客用情報記憶媒体の価値情報に前記積み増し値を加算し、加算後の価値情報を前記リーダライタ部により前記顧客用情報記憶媒体に書き込ませる手段として機能させるプログラムである。
【発明の効果】
【０００７】
本発明によれば、価値情報の積み増しは、予めバスの営業所等で支払済みの金額に対応する価値情報が書き込まれた管理用情報記憶媒体から、積み増しを受ける顧客用情報記憶媒体に価値情報を移し替えることで行われるため、操作者が利用者から受け取った現金を紛失する等の事態が発生したとしても、管理用情報記憶媒体の価値情報の残額から顧客用情報記憶媒体に積み増しされた価値情報を確認することが出来る。
【発明を実施するための最良の形態】
【０００８】
以下、図面を参照しながら本発明の実施形態について説明する。
図１は本発明の実施形態に係るＩＣカード処理装置の構成を示すブロック図であり、図２はその動作を示すフローチャートである。このＩＣカード処理装置はバスの運転席の横に配置され、運転手が所持する価値情報の積み増しを管理するための管理用ＩＣカードから、乗客が所持する顧客用ＩＣカードに価値情報を移転することにより、顧客用ＩＣカードに価値情報の積み増しを可能にしたものである。
【０００９】
図１に示すように、本実施形態のＩＣカード処理装置１は、この装置の各種処理及び制御を行うＣＰＵ１１と、ＣＰＵ１１に接続されたＲＯＭ１２及びＲＡＭ１３と、それぞれインタフェース１４、１６、１８、２０を介してＣＰＵ１１に接続されたリーダライタ部１５、カード挿入部１７、操作部１９及び表示部２１を備えている。
【００１０】
ＲＯＭにはＣＰＵ１１が各種処理を実行するときに使用するプログラムやデータが予め格納されている。ＲＡＭ１３はＣＰＵ１１が各種処理を実行するときにプログラムや各種データを一時的に記憶するために使用される。リーダライタ部１５は、図示されていないＣＰＵ、メモリ（ＲＡＭ、ＲＯＭ、ＥＥＰＲＯＭ等）、送受信回路及びアンテナを備えており、非接触ＩＣカード２に対してデータの書き込み及び読み出しを行うことができる。カード挿入部１７は挿入口及びセンサを備えており、非接触ＩＣカード２が挿入されたことをインタフェース１６を通してＣＰＵ１１に通知する。操作部１９にはＩＣカード処理装置１を操作するための各種キー等が配置されている。表示部２１はＬＣＤ等からなり、ＩＣカード処理装置１の操作部１９から入力されたデータ、ＣＰＵ１１で処理された結果のデータ等が表示される。
【００１１】
以上の構成を有するＩＣカード処理装置により、ＩＣカードの価値情報である入金残額の積み増しを行う手順について説明する。ここでは、バスの車内で乗客が運転手に顧客用ＩＣカードを提示して価値情報の積み増しを申し出、運転手が積み増しの操作を行う場合を例にして説明する。
【００１２】
まず乗客は運転手に対して、自分が所持している顧客用ＩＣカードの価値情報である入金残額の積み増しを要求し、所望の積み増し金額（１０００円、３０００円、５０００円等）を支払う。運転手は、乗客から受け取った金額を確認すると、ＩＣカード処理装置１の操作部１９に設けられた積み増しボタンを操作した後、積み増し金額を入力する。積み増しボタンの操作によりＣＰＵ１１は図２の処理を開始し、運転手が入力した積み増し金額データはＲＡＭ１３に記憶される（ステップＳ１）。
【００１３】
次にＣＰＵ１１は管理用ＩＣカード（以下、管理用カード）の挿入を促すメッセージを作成し、表示部２１に表示するように制御する（ステップＳ２）。運転手がメッセージに従って管理用カード2-1 をカード挿入部１７に挿入すると、カード挿入部１７はＣＰＵ１１に非接触ＩＣカードが挿入されたことを通知する。ＣＰＵ１１はこの通知を受け取ると（ステップＳ３でYES ）、リーダライタ部１５により読み取られた管理用カード2-1 のデータを受け取る（ステップＳ４）。このとき、管理用カード2-1 から読み取られた各種データの内、入金残額を表す価値情報＃１がＲＡＭ１３に記憶される。ここで、管理用カード2-1 には運転手が当日の業務を始める前にバス会社の営業所で予め支払った金額に対応する価値情報が営業所のコンピュータ（センタ装置）に接続されたリーダライタ装置により書き込まれている。
【００１４】
次いでＣＰＵ１１は、ＲＡＭ１３に記憶された管理用カード2-1 の価値情報＃１から積み増し金額を減算し、減算結果をＲＡＭ１３に記憶するとともに、リーダライタ部１５から管理用カード2-1 に書き込むように制御し、さらに表示部２１で表示するように制御する（ステップＳ５、Ｓ６）。
【００１５】
次にＣＰＵ１１は顧客用ＩＣカード（以下、顧客用カード）の挿入を促すメッセージを作成し、表示部２１に表示するように制御する（ステップＳ７）。乗客がメッセージに従って顧客用カード2-2 をカード挿入部１７に挿入すると、カード挿入部１７はＣＰＵ１１に非接触ＩＣカードが挿入されたことを通知する。ＣＰＵ１１はこの通知を受け取ると（ステップＳ８でYES ）、リーダライタ部１５により読み取られた顧客用カード2-2 のデータを受け取る（ステップＳ９）。このとき、顧客用カード2-2 から読み取られた各種データの内、入金残額を表す価値情報＃２がＲＡＭ１３に記憶される。
【００１６】
次いでＣＰＵ１１は、ＲＡＭ１３に記憶された顧客用カード2-2 の価値情報＃２に積み増し金額を加算し、加算結果をＲＡＭ１３に記憶するとともに、リーダライタ部１５から顧客用カード2-2 に書き込むように制御し、さらに表示部２１で表示するように制御（ステップＳ１０、Ｓ１１）した後、処理を終える。
【００１７】
運転手は当日の業務を終えて営業所に戻った後、管理用カード2-1 をバス会社に返却する。バス会社では、管理用カード2-1 の価値情報である入金残額をセンタ装置に接続されたリーダライタ装置で読み取り、その残額を運転手に返戻するとともに、その入金残額データをクリアする。
【００１８】
このように、本実施形態によれば、顧客用カード2-2 に価値情報の積み増しを行う前の管理用カード2-1 の価値情報から積み増しを行った後の管理用カード2-1 の価値情報を減算することにより、価値情報の積み増し値を確認することが可能なので、万一現金の紛失や盗難等があったとしても、バス会社では操作者が利用者に積み増しした価値情報を確認することができる。
【００１９】
なお、本発明は例えば下記（１）〜（３）のような変形が可能である。
（１）ＩＣカード処理装置１とともに運転席の横に配置した料金精算機に乗客が現金を投入し、運転手がその金額を確認した後に操作部１９を操作する。このようにすれば、現金の紛失或いは盗難等の事故を防止することが出来る。
（２）上記料金精算機に投入金額の計算機能を設けておき、その計算結果を図１のＣＰＵ１１に入力し、ＣＰＵ１１の制御により投入金額を表示部２１に表示するとともに、その投入金額を積み増し値としてＲＡＭ１３に記憶するように構成する。このように構成すれば、運転手が乗客から受け取った金額を誤認し、ＩＣカード処理装置１に誤った金額の積み増し指示を行う事態を防止することが出来る。
（３）カード挿入部１７を設ける代わりに、管理用カード2-1 及び顧客用カード2-2 をＩＣカード処理装置１の所定の場所に置いたり、かざしたりすることによりリーダライタ部１５で読み取るようにする。
【図面の簡単な説明】
【００２０】
【図１】本発明の実施形態に係るＩＣカード処理装置の構成を示すブロック図である。
【図２】本発明の実施形態に係るＩＣカード処理装置の動作を示すフローチャートである。
【符号の説明】
【００２１】
１・・・ＩＣカード処理装置、２・・・非接触ＩＣカード、１１・・・ＣＰＵ、１３・・・ＲＡＭ、１５・・・リーダライタ部、１７・・・カード挿入部、１９・・・操作部、２１・・・表示部。
【図１】
2005235016.tif 000003
【図２】
2005235016.tif 000004